(57)【要約】      （修正有）【課題】漏水を防止することが可能なノズルを提供する。【解決手段】密封リング３とピストン９とによってノズル１を構成する。密封リング３は、液体が流れ込む流入口３３１と、流入口３３１から流れ込んだ液体が流出される流出口３３２と、流入口３３１と流出口３３２とを繋ぐ筒状体と、筒状体の内面３５に形成されて流入口３３１から流出口３３２に向かうに従って内径が狭まるテーパー部と、筒状体の外面に形成される固定用凸部と、を有する。ピストン９は、密封リング３に出し入れ自在に挿入される尖端部を有し、密封リング３を流れる液体の流量を調整する。【選択図】図２
0003197665.tif 000002
【実用新案登録請求の範囲】
【請求項１】
液体が流れ込む流入口と、
前記流入口から流れ込む前記液体が流出する流出口と、
前記流入口と前記流出口とを繋ぐ筒状体と、
前記筒状体の内面に形成され、前記流入口から前記流出口に向かうに従って内径が狭まるテーパー部と、
前記筒状体を固定する筒状体固定部と、
有する密封リングと、
前記密封リングに出し入れ自在に挿入される尖端部を有し、前記密封リングを流れる前記液体の流量を調整するピストン部と、を備えるノズル。
【請求項２】
前記尖端部は、前記密封リングに対する挿入方向に沿って外径が狭まる請求項１に記載のノズル。
【請求項３】
前記尖端部の外面は、
前記密封リングに挿入された状態において前記密封リングの前記テーパー部に沿う形状を有する請求項１または２に記載のノズル。
【請求項４】
前記ピストン部は、
前記尖端部の外面を前記テーパー部に圧し当てて前記流出口からの前記液体の流出を停める弾性部材を有する請求項２または３に記載のノズル。
【請求項５】
前記尖端部を前記密封リング内における任意の位置で固定するロック機構をさらに備える請求項１から４のいずれか１項に記載のノズル。
【請求項６】
前記密封リングが弾性を有する部材でなる請求項１から５のいずれか１項に記載のノズル。
【請求項７】
前記ピストン部は、前記尖端部の一部に凹部を備える請求項１から６のいずれか１項に記載のノズル。
【考案の詳細な説明】
【技術分野】
【０００１】
本考案は、液体を放出するノズルに関する。
【背景技術】
【０００２】
現在、園芸や洗車に使用される散水ノズルがある。散水ノズルは、ホースと接続されると共に、ホースを介して水道等から供給される水を加圧し、シャワーや霧状態にして放出する。このような散水ノズルには、供給された水を散水ノズル内の流路に沿って導くことが必要である。このため、散水ノズルにおいては、水が適正な流路以外に流れ出すことを防ぐため、Ｏリング等の水を密封する密封リングが複数使用されている。
【０００３】
なお、Ｏリングを使って漏水を止水する散水ノズルは、例えば、特許文献１に記載されている。
【先行技術文献】
【特許文献】
【０００４】
【特許文献１】特開２００３−９２９３４号公報
【考案の概要】
【考案が解決しようとする課題】
【０００５】
しかしながら、Ｏリングによって漏水を防止する従来の散水ノズルでは、散水される水の圧力が強くなると、散水ノズル内で漏水が起こる。漏水は、散水ノズル内で意図しない流路を流れ、放水ノズルの止水時に外部に流出する、あるいは散水時に意図する水量を得ることができない原因になる。
本考案は、このような点に鑑みてなされたものであり、少ない部品点数で漏水を確実に止水することが可能なノズルを提供することを目的とする。
【課題を解決するための手段】
【０００６】
上記課題を解決するために、本考案の一態様に係るノズルは、密封リングとピストンとを備えている。密封リングは、液体が流れ込む流入口と、流入口から流れ込む液体が流出する流出口と、流入口と流出口とを繋ぐ筒状体と、筒状体の内面に形成され、流入口から流出口に向かうに従って内径が狭まるテーパー部と、筒状体を固定する筒状体固定部と、有する。また、ピストン部は、密封リングに出し入れ自在に挿入される尖端部を有し、密封リングを流れる液体の流量を調整する。
【考案の効果】
【０００７】
本考案によれば、ノズルの漏水を確実に防止することが可能なノズルを提供することができる。
【図面の簡単な説明】
【０００８】
【図１】本考案の第１実施形態のノズルを説明するための図である。
【図２】図１に示したノズルの分解斜視図である。
【図３】図２に示した密封リングを説明するための図である。
【図４】本考案の第１実施形態のノズルの密封リングのテーパー部を説明するための図である。
【図５】図２に示したピストンを説明するための図である。
【図６】本考案の第１実施形態のノズルの断面図であって、ノズルの止水状態を示している。
【図７】本考案の第１実施形態のノズルの断面図であって、ノズルの放水状態を示している。
【図８】本考案の第２実施形態のノズルを説明するための図である。
【図９】図８に示したノズルの分解斜視図である。
【図１０】図９に示した密封リングを説明するための図である。
【図１１】本考案の第２実施形態のノズルの密封リングのテーパー部を説明するための図である。
【図１２】図９に示したピストンを説明するための図である。
【図１３】本考案の第２実施形態のノズルの断面図であって、ノズルの止水状態を示している。
【図１４】本考案の第２実施形態のノズルの断面図であって、ノズルの放水状態を示している。
【考案を実施するための形態】
【０００９】
［第１実施形態］
以下、本考案の第１実施形態について説明する。
図１は、第１実施形態のノズル１を説明するための図である。図１（ａ）はノズル１の側面図、図１（ｂ）はノズル１の背面図、図１（ｃ）はノズル１の正面図である。図２は、ノズル１の分解斜視図である。図１（ａ）に示すように、ノズル１は、本体１１と、本体１１を通った水が放水される放水部１８に設けられた放水カバー１９と、放水カバー１９とは反対側で本体１１に設けられた操作レバー１３と、を備えている。また、ノズル１は、本体１１に操作レバー１３を回転可能に支持する支持部１５と、操作レバー１３を所定位置にロックするロック機構１６と、を備えている。
【００１０】
本体１１は、ヘッド部１１１と、ヘッド部１１１から斜め下方に延出する水導入部１１２と、を有している。水導入部１１２は、ノズル１を使用する際に作業者が把持する把持部となる。水導入部１１２は、作業者が片手で把持できる程度の長さと細さとを備えた直方体形状を有している。水導入部１１２の長手方向の各辺は面取りされ、作業者が水導入部１１２を把持しやすいようになっている。水導入部１１２は、ヘッド部１１１に接続されていない側の端部に設けられて図示しないホースと接続される接続部２１を有している。
【００１１】
支持部１５は、放水カバー１９とは反対側に向かって水導入部１１２から突出して形成されている。支持部１５は、水導入部１１２の長さ方向において、接続部２１よりもヘッド部１１１側に偏って配置されている。支持部１５の先端には軸１５１が形成されている。支持部１５は、操作レバー１３が軸１５１を回転軸として一定の回転角の範囲で回転可能な状態で支持する。ノズル１から放出される水の放出量は、操作レバー１３の回転角に応じて変化するようになっている。つまり、操作レバー１３は、ノズル１から放出される水の放出量の調整を操作するために用いられる。
【００１２】
図１（ａ）及び図２に示すように、操作レバー１３は、水導入部１１２から離れる方向に伸びる取手部１３２を有している。操作レバー１３が回転していない状態で支持部１５に支持されている場合に、取手部１３２は、水導入部１１２から最も離れた位置に配置される。また、操作レバー１３の回転角が最大の場合に、取手部１３２は水導入部１１２に最も近い位置に配置される。
【００１３】
図１（ｂ）及び図１（ｃ）に示すように、取手部１３２の幅は、水導入部１１２の幅よりも若干長く形成されている。操作レバー１３は、水導入部１１２に対面する側の一部に形成された切欠領域１３１を有している。さらに、操作レバー１３は、ヘッド部１１１側に設けられた第１切欠領域１３１ａと、支持部１５２側に設けられた第２切欠領域１３１ｂとを有している。第１及び第２切欠領域１３１ａ、１３１ｂは隣接して配置されている。
【００１４】
ロック機構１６は、環状に形成され、ノズル１の背面側で水導入部１１２に回転可能に設けられている。ロック機構１６は、支持部１５とヘッド部１１１との間に配置されている。ロック機構１６は、水導入部１１２、ヘッド部１１１、操作レバー１３及び支持部１５によって形成される空間内で水導入部１１２に対して回転可能になっている。ロック機構１６は、操作レバー１３の第１切欠領域１３１ａまたは第２切欠領域１３１ｂと係り合い、回転途中の操作レバー１３を固定するようになっている。
【００１５】
また、ノズル１は、本体１１を例えばバケツ等の他の部材に掛けるためのフック１７を有している。フック１７は、放水カバー１９側に向かって水導入部１１２から突出して形成されている。フック１７は、支持部１５とは反対側に向かって突出している。
操作レバー１３は、回転の角度によってノズル１から放出される水の量を調整することができる。操作レバー１３は、作業者が手によって押下げることにより回転の角度が変化して、ノズル１から放出される水の量を０から最大量まで調整する。即ち、作業者が操作レバー１３を押下げるほど操作レバー１３の回転角が大きくなり、ノズル１から放出される水の水量が多くなる。操作レバー１３を押し下げた状態でロック機構１６を第１切欠領域１３１ａに係り合わせると、操作レバー１３は所定の押し下げ量で支持部１５に固定される。ロック機構１６が第１切欠領域１３１ａに係り合った状態でノズル１から放出される水の水量は略最大量となる。
【００１６】
操作レバー１３を押し下げた状態でロック機構１６を第２切欠領域１３１ｂに係り合わせると、操作レバー１３は所定の押し下げ量で支持部１５に固定される。ロック機構１６が第２切欠領域１３１ｂに係り合った状態でノズル１から放出される水の水量は、最大量よりも少ない量となる。ノズル１は、ロック機構１６を切欠領域１３１に係り合わせることにより、作業者が操作レバー１３を押し下げ続けなくても一定量の水を安定して放出できる。
【００１７】
ロック機構１６は、ノズル１の使用時に、作業者が意図的に切欠領域１３１に係り合わせない限り、倒れた状態で水導入部１１２に接触して配置される。ロック機構１６が倒れて水導入部１１２に接触している状態では、作業者は、操作レバー１３の押し下げ量を調整しながら所望の水量で水をノズル１から放出できる。
放水部１８を覆う放水カバー１９は、円形平板状に形成されたカバー板２２と、カバー板２２に形成されたシャワー放水口２３、霧放水口２５、ジェット放水口２７及び拡散放水口２９と、カバー板２２の周囲に形成された側壁１９０とを有している。シャワー放水口２３は、水をシャワー状に放出する。第１実施形態でいうシャワー状とは、複数の孔部２３１から加圧された水が略同じ勢いで放出される状態を指す。
【００１８】
霧放水口２５は、１つの孔部２５１から水を噴霧する放水口である。ジェット放水口２７は、１つの孔部２７１からシャワー放水口２３よりも強い勢いの水流を放出する放出口である。拡散放水口２９は、スリット形状の孔部２９１からスリットの長さ方向に広がった水流を放出する放出口である。カバー板２２は、カバー板２２の中心軸方向における側壁１９０のほぼ中央に配置されている。
【００１９】
側壁１９０の外表面には、複数の放水パターン表示部１９１が設けられている。放水パターン表示部１９１は、シャワー放水口２３、霧放水口２５、ジェット放水口２７、拡散放水口２９の各々に対応して合計４つ設けられている。４つの放水パターン表示部１９１は、側壁１９０上にほぼ等間隔に設けられている。
図２に示すように、ヘッド部１１１の内部には、後述する水の流路と連通する水量調整管１１３が設けられている。水量調整管１１３の内部には、筒状の密封リング３及びピストン９が挿入されている。ここで、密封リング３の概略構成について図３及び図４を用いて説明する。
【００２０】
図３は、密封リング３の概略構成を示す図である。図３（ａ）は密封リング３の斜視図であり、図３（ｂ）は密封リング３の正面図であり、図３（ｃ）は密封リング３の側面図である。図４（ａ）は、図３（ｂ）に示した線分５−５’に沿う断面図である。線分５−５’は密封リング３の中心軸を含む線分である。すなわち、図４（ａ）は、密封リング３の中心軸を含む平面で密封リング３を切断した断面図である。図４（ｂ）は、図４（ａ）に示したテーパー部３３５の角度を説明するための図である。
【００２１】
図３及び図４に示すように、密封リング３は、水が流れ込む流入口３３１と、流入口３３１から流れ込む水が流出する流出口３３２と、流入口３３１と流出口３３２とを繋ぐ筒状体を有している。筒状体３０は、内面３５と、外面３３とを有している。流入口３３１及び流出口３３２は、円形状を有している。内面３５は、流入口３３１から流入した水が流通する流通部３７を囲む密封リング３の内壁の表面である。
【００２２】
外面３３は、水量調整管１１３（図２参照）に密封リング３を挿入したときに水量調整管１１３の内壁に接触する密封リング３の外壁の表面である。図３（ｃ）に示すように、密封リング３は、流出口３３２の周囲が流入口３３１を含む他の領域から張り出した円筒形状を有している。流出口３３２の外径Ｒ１は、流入口３３１の外径Ｒ２よりも大きくなっている。第１実施形態では、流出口３３２の周囲の張り出した部分を張出し部３３０とする。
【００２３】
密封リング３は、図３（ａ）、図３（ｃ）に示すように、外面３３の周方向に沿って外面３３上に形成された複数（本例では３つ）の固定用凸部３３３を有している。密封リング３を図２に示した水量調整管１１３内に挿入したときに、固定用凸部３３３は、水量調整管１１３の内壁に対する密封リング３の摩擦力を高め、密封リング３を水量調整管１１３に強固に固定する機能を有している。密封リング３は、ゴムやシリコン樹脂等の弾性体によって形成されている。外面３３と固定用凸部３３３とは一体的に成形されている。
【００２４】
図４（ａ）に示すように、密封リング３は、内面３５に形成されて流入口３３１から流出口３３２に向かうに従って内径が狭まるテーパー部３３５を有している。テーパー部３３５は、内面３５の一部に形成されている。テーパー部３３５は、流出口３３２と流入口３３１との中間の位置Ｍよりも流出口３３２に近い位置に設けられている。
また、内面３５は、テーパー部３３５よりも流出口３３２側に設けられて内径が一定の第１平坦面３３７と、テーパー部３３５よりも流入口３３１側に設けられて内径が一定の第２平坦面３３９と、第２平坦面３３９よりも流入口３３１側に設けられて内径が一定の第３平坦面３３６と、を有している。テーパー部３３５は、第１平坦面３３７及び第２平坦面３３９と交わる斜面３３４を有している。
【００２５】
密封リング３の第１平坦面３３７に当たる部分の内径は第２平坦面３３９に当たる部分の内径よりも小さい。密封リング３の第２平坦面３３９に当たる部分の内径は、第３平坦面３３６に当たる部分の内径よりも小さい。また、内面３５は、第１平坦面３３７よりも流出口３３２側に設けられて曲面形状の曲面部３３８を有している。曲面部３３８は、第１平坦面３３７側から流出口３３２側に向かって直径が徐々に長くなる曲面形状に形成されている。したがって、内面３５は、第１平坦面３３７において絞り込まれた形状を有している。
【００２６】
尖端部９１の外面は、密封リング３に挿入された状態において密封リング３のテーパー部３３５に沿う形状を有し、テーパー部３３５と接触する。ピストン９に巻き回されたバネ７は、尖端部９１の外面をテーパー部３３５に圧し当てて流出口３３２からの液体の流出を停めている。
図４（ｂ）に示すように、第１実施形態では、第１平坦面３３７と斜面３３４との成す角の角度θ１と、第２平坦面３３９と斜面３３４との成す角の角度θ２との和は３６０度となっている。第１実施形態では、角度θ２を１３５度とした。
【００２７】
ただし、第１実施形態は、角度θ２が１３５度である構成に限定されるものではない。第１実施形態の角度θ１と角度θ２は、水量調整管１１３の長さと流出口３３２の径とによって各々適正な値に決定される。
次に、ピストン９の構成について図２を参照しつつ図５を用いて説明する。図５は、ピストン９の概略構成を示す図である。図５（ａ）はピストン９の斜視図であり、図５（ｂ）はピストン９の背面図である。図２及び図５（ａ）に示したように、ピストン９は、円柱形状に形成された本体９５と、本体９５の一端に形成されて水が密封リング３を流れる流れ方向に沿って密封リング３の流通部３７に出し入れ自在に挿入される挿入部９０とを有している。
【００２８】
ピストン９は、密封リング３を流れる水の流量を調整するために用いられる。なお、図５（ａ）中及び図５（ｂ）中には、密封リング３内を流れる水の流れ方向が矢線Ｃによって示されている。また、図２中には、密封リング３への挿入部９０の挿入方向が矢線Ｂで示されている。
挿入部９０は、密封リング３に対する矢線Ｃで示した挿入方向にいくに従って外径が狭まる尖端部９１を有している。尖端部９１は、密封リング３に対する挿入方向に沿って断面積が徐々に小さくなる形状を有している。第１実施形態では、尖端部９１の矢線Ｃが示す方向の側をピストン９の「正面」または「前」と記し、反対の側を「背面」または「後」と記す。挿入部９０は、さらに、尖端部９１の後ろに外径が一定の定径部９２を備えている。ピストン９は、定径部９２の後に複数（本例では４つ）の凸部９３を有している。複数の凸部９３は、本体９５の外表面上に本体９５の中心軸周りに等間隔に設けられている。凸部９３は、薄板形状を有し、本体９５の外表面から放射状に突出して形成されている。凸部９３は、定径部９２とほぼ面一の状態で本体９５の一端側から他端側に向かって伸びて形成され、本体９５の他端側の端部が定径部９２よりも高く形成されている。
【００２９】
挿入部９０、凸部９３及び本体９５は一体的に形成さている。本体９５の他端近傍には、孔部９７が設けられている。孔部９７は、本体９５の中心軸を挟んで対向して２つ（図５（ａ）では１つ図示されている）形成されている。また、ノズル１は、孔部９７の直径よりも直径の短い円柱形状のピン９８を有している。ピン９８は、一方の孔部９７と他方の孔部９７とが形成された領域の本体９５の幅よりも長く形成されている。このため、一方の孔部９７から他方の孔部９７（又はその逆方向）に挿入されたピン９８の両端は、一方及び他方の孔部９７から突出することができる。
【００３０】
なお、第１実施形態は、孔部９７を貫通した１つの孔とすることもできる。
ピストン９は、ピン９８を挿入した孔部９７が凸片１３３よりも操作レバー１３側に配置されるように、本体９５を凸片１３３の二股部の間に挟んで配置される。２つの孔部９７から突出するピン９８の両端は、凸片１３３の二股部の取手部１３２側に引っ掛かる。このため、操作レバー１３が作業者によって押下げられると、凸片１３３とともにピン９８が取手部１３２側に引かれるので、ピストン９全体も後ろ側に引かれて、ピストン９は密封リング３から遠ざかる。これにより、挿入部９０は密封リング３の内部から引き出され、挿入部９０と密封リング３の流入口３３１との間に水量調整管１１３及び流通部３７と連通する空間が形成される。水量調整管１１３の内部に保持されている水は、挿入部９０と密封リング３との間に形成された空間内に流入し、流入口３３１、流通部３７、流出口３３２、水流パターン切替部６９及び放水カバー１９を介して放水部１８から放水される。
【００３１】
図２に戻って、ノズル１は、ピストン９の本体９５に巻き回されるバネ７を有している。バネ７は、ピストン９が密封リング３から遠ざかったときに圧縮されて弾性力を生じる。また、バネ７は、ピストン９が密封リング３内に挿入されるとき、圧縮時に生じた弾性力によって巻き戻されてピストン９を密封リング３に速やかに挿入させる。さらに、バネ７は、ピストン９が密封リング３内に挿入されて尖端部９１とテーパー部３３５とが当接した後も自然長よりも短い状態に維持されて圧縮による弾性力が生じている。このため、バネ７は、ピストン９を密封リング３に押し付け続けるので、操作レバー１３が作業者に操作されていない場合に、尖端部９１とテーパー部３３５とが密着し続ける。
【００３２】
また、バネ７の後端にはワッシャ１２１及び２つのＯリング１２２が挿入されている。バネ７は、ワッシャ１２１と凸部９３との間に挟まれて、作業者による操作レバー１３の操作に関わらず自然長よりも短い状態に維持されている。ワッシャ１２１及び２つのＯリング１２２は、操作レバー１３近傍の水量調整管１１３内に配置されている。ワッシャ１２１及び２つのＯリング１２２は、放水部１８側からこの順に配置されている。
【００３３】
２つのＯリング１２２のうち、操作レバー１３側に配置されたＯリング１２２は、ヘッド部１１１の内壁に接触している。Ｏリング１２２は、ピストン９の本体９５の他端側をヘッド部１１１の外側に導くために水量調整管１１３に設けられた孔（不図示）を塞ぐようになっている。これにより、Ｏリング１２２は、この孔から水量調整管１１３に流入又は滞留している水がヘッド部１１１の外部に漏れるのを防止できる。
【００３４】
放水カバー１９と対向する側のヘッド部１１１には、円形の放水面１１６が設けられている。放水面１１６の周囲には、薄板円環状に形成された縁部１１７が設けられている。縁部１１７の外表面は、側壁１９０の内表面に沿う形状を有している。縁部１１７は、側壁１９０の内表面よりも一回り小さく形成されている。放水面１１６の縁部１１７に囲まれた円形領域のほぼ中心には、操作レバー１３側から放水部１８側に向かって伸びる軸１１５が設けられている。放水面１１６のこの円形領域において、軸１１５の上方には、円形に開口する水量調整管１１３が設けられている。軸１１５を挟んで水量調整管１１３が設けられた位置とは反対側の縁部１１７の内面上には、軸１１５とほぼ平行に伸びる管部１１４が設けられている。放水カバー１９は、縁部１１７を覆ってヘッド部１１１に取り付けられる。放水カバー１９は、軸１１５に軸支され、ネジ３１によって軸１１５に回転可能に固定されている。これにより、放水カバー１９は、縁部１１７上を摺動可能に回転できる。
【００３５】
放水カバー１９の密封リング３が配置される側の面である裏面には、水流パターン切替部６９が設けられている。水流パターン切替部６９は、板部７０と、板部７０に開口されたシャワー用口７３、霧用口７５、ジェット用口７７、拡散用口７９を有している。シャワー用口７３は、シャワー放水口２３と共にシャワー状の水を生成する。シャワー用口７３を通過した水は、通過直後にシャワー放水口２３を通過する。このとき、水はシャワー状になる。板部７０は、放水カバー１９と共にネジ３１によってネジ留めされている。このため、放水カバー１９を回転させると、板部７０も同様に回転する。
【００３６】
また、霧用口７５は、霧放水口２５と共に霧状の水を生成する。霧用口７５を通過した水は、通過直後に霧放水口２５を通過して霧状になる。また、ジェット用口７７は、ジェット放水口２７と共に１本の水流を生成する。ジェット用口７７を通過した水は、通過直後にジェット放水口２７を通過する。このとき、水は強い勢いの水流となって放出される。さらに、拡散用口７９は、拡散放水口２９と共に散水範囲が拡散された水流を生成する。拡散用口７９を通過した水は、通過直後に拡散放水口２９を通過する。このとき、水は、拡散放水口２９に形成されたスリットに沿って散水範囲が拡散された水流となって放出される。
【００３７】
縁部１１７には、放水カバー１９側に向かって縁部１１７の端部から突出する凸部１１９が形成されている。凸部１１９の端部には、凸部１１９を横切る方向に溝部１１９ａ（図２では不図示）が形成されている。溝部１１９ａは、水流パターン切替部６９の板部７０の厚さよりも若干太い幅に形成されている。
また、縁部１１７には、凹部１１８が形成されている。凹部１１８は、凸部１１９が形成された領域におけるヘッド部１１１側に形成されている。凹部１１８は、縁部１１７上に形成され、軸１１５側に向かって凹形状を有している。
【００３８】
また、第１実施形態では、放水パターン表示部１９１の表示に対応する放水口が密封リング３の先端部と接する位置に移動する。密封リング３の先端部と接する位置の放水口からは、水量調整管１１３を介して供給される水が放出される。
図６、図７は、図１（ｃ）に示した軸１１５の中心を含む線分６−６’に沿うノズル１の断面図である。図６は、ピストン９がノズル１から放出される水を止水した止水状態を示している。図７は、ピストン９による止水が解除されてノズル１から水が放出される放水状態を示している。
【００３９】
図６、図７に示すように、水導入部１１２の内部は、管部５５になっている。管部５５内には管部５５内の水が凍結することを防ぐ凍結防止部材５６が設けられている。水は、管部５５から水量調整管１１３に矢線Ａの方向から接続部２１を介して導入される。
水量調整管１１３の放水部１８側には、密封リング３が配置されている。密封リング３の外径Ｒ２を有する領域は、水量調整管１１３内に挿入されている。密封リング３の外径Ｒ１を有する領域は、水量調整管１１３の放水部１８側に設けられた段差部１１３ａに挿入されている。段差部１１３ａは、外径Ｒ１よりも若干大きい内径を有している。また、段差部１１３ａは、水量調整管１１３の軸方向の長さが密封リング３の外径Ｒ１を有する領域の中心軸方向の長さとほぼ同じ長さに形成されている。このため、密封リング３を水量調整管１１３内に挿入すると、密封リング３の流出口３３２と、水量調整管１１３が設けられたヘッド部１１１の表面とは面一になる。
【００４０】
ヘッド部１１１の放水部１８側には、密封リング３に接触して水流パターン切替部６９が配置されている。図６及び図７では、水流パターン切替部６９に形成されたシャワー用口７３と、水量調整管１１３とが一直線上に配置された状態が図示されている。この状態において、シャワー用口７３は、密封リング３の流出口３３２とが重なって配置される。水流パターン切替部６９の板部７０の周囲の一部は、縁部１１７の凸部１１９に設けられた溝部１１９ａに嵌め込まれている。溝部１１９ａに嵌め込まれた板部７０周囲の一部と軸１１５を挟んで反対側の板部７０の周囲近傍において、板部７０に形成された切欠７２１にクリック部材５９の先端が差し込まれている。
【００４１】
ヘッド部１１１の放水部１８側には、水流パターン切替部６９を覆って放水カバー１９が配置されている。図６及び図７では、放水カバー１９に形成されたシャワー放水口２３と、水量調整管１１３とが一直線上に配置されている状態が図示されている。シャワー放水口２３は、シャワー用口７３と重なって配置されている。また、放水カバー１９に形成された霧放水口２５は、水流パターン切替部６９に形成された霧用口７５と重なって配置されている。
【００４２】
放水カバー１９は、縁部１１７上に重なって配置されている。作業者によって放水カバー１９が回転されると、放水カバー１９と共にネジ留めされている水流パターン切替部６９も回転する。
放水カバー１９は、軸１１５に固定されると縁部１１７と接触して放水部１８を覆う。放水カバー１９が放水部１８を覆って配置されると、凸部１１９は放水カバー１９と水流パターン切替部６９の板部７０との隙間に挿入され、板部７０の外周部が凸部１１９の溝部１１９ａに引っ掛かり、板部７０をガイドする。また、水流パターン切替部６９に設けられた４つの水流パターンのうちのいずれか一の水流パターンと、水量調整管１１３とが一直線上に配置されると、この一の水流パターンに対応する放水カバー１９の放水パターン表示部１９１の１つが縁部１１７の上の所定の位置に移動する。放水カバー表示部１９１の１つが移動することにより、作業者はノズルによって放水される水流パターンを知ることができる。
【００４３】
この後、作業者が放水カバー１９に回転方向の力を加えない限り、放水カバー１９は、一の水流パターンと水量調整管１１３とが一直線上に配置された状態を維持する。
一方、作業者が放水カバー１９に回転方向の力を加えると、放水カバー１９は、縁部１１７上を摺動して回転する。そして、放水カバー１９が回転する過程で他の水流パターンと水量調整管１１３とが一直線上に配置される。
【００４４】
また、管部１１４には、バネ５７と共にクリック部材５９が挿入されている。クリック部材５９は、放水カバー１９の回転時には板部７０に当たってバネ５７を管部１１４側に押し込んでいる。そして、板部７０が回転し、板部７０に設けられた切欠とクリック部材５９が当接した際、板部７０に形成された切欠７２１（図２では不図示）はクリック部材５９と対向する。切欠７２１は、放水カバー１９側に向かう凹形状を有している。このため、クリック部材５９が切欠７２１と対向することによってバネ５７が押し戻されてクリック部材５９は前方に移動する。このような動作により、クリック部材５９及びバネ５７は、作業者に放水カバー１９を回転させたことに対応する感触及びクリック音を与える。
【００４５】
図６に示す止水状態において、操作レバー１３は、作業者によって力を加えられていない。この場合、ピストン９はバネ７によって密封リング３側に押し出され、尖端部９１及び定径部９２は密封リング３の内面に圧力を加えながら密着している。ピストン９の尖端部９１及び定径部９２は、密封リング３の内面に沿った形状を有している。即ち、密封リング３の第１平坦面３３７と斜面３３４とが成す角度θ１は、尖端部９１（図５参照）の表面と斜面３３４とが密着するように定められている。また、第２平坦面３３９と斜面３３４との成す角度θ２（図４（ｂ）参照）は、第２平坦面３３９が定径部９２の表面と密着するように形成されている。これにより、ノズル１は、水量調整管１１３内に管部５５から流入する水や水量調整管１１３内に滞留している水が流出口３３２から漏れるのを防止できる。
【００４６】
また、止水状態において、密封リング３の外面３３のほぼ全面は、水量調整管１１３の内壁と密着している。このため、ノズル１は、水量調整管１１３内に管部５５から流入する水や水量調整管１１３内に滞留している水が密封リング３の外面３３と水量調整管１１３の内壁面との間から漏れるのを防止できる。
このように、止水状態において、ピストン９は、密封リング３と協働して、水量調整管１１３内に管部５５から流入する水や水量調整管１１３内に滞留している水が水量調整管１１３から流出することを防ぐことができる。
【００４７】
図７に示す放水状態において、ノズル１は、密封リング３とピストン９との間に生じる空間に応じた量の水を水量調整管１１３から放出する。ノズル１を放水状態にする場合、作業者は操作レバー１３に手をかけて、操作レバー１３が軸１５１を中心にして回転するように押下げる。操作レバー１３が押し下げられると凸片１３３が後ろ側に移動すると共にピン９８も後ろ側に移動する。
【００４８】
ピン９８はピストン９に形成された２つの孔部９７を貫通しているので、ピストン９はピン９８の後方への移動とともに後ろ側に移動する。これにより、ピストン９は、操作レバー１３の回転する過程で密封リング３の内部から引き出される。ピストン９が密封リング３から引き出された状態で、作業者がロック機構１６を操作レバー１３の切欠領域１３１に係り合わせるとピストン９は密封リング３から引き出された状態で固定される。これにより、密封リング３とピストン９との間に流通部３７と水量調整管１１３とを連通する空間が生じるので、ノズル１は、この空間の広さに応じた量の水を放出できる。
【００４９】
ところで、ノズル１をいったん放水状態にすると、水量調整管１１３のピストン９と密封リング３との間に入り込んだ水は強い圧力を生じる。放水状態から止水状態に戻すためには、水量調整管１１３内に生じた圧力に抗ってピストン９を押し戻すことが必要になり、ピストン９を強い力で押し戻すためには強い弾性力を持ったバネ７を使用することが考えられる。しかし、バネ７の弾性力を強めることは、ノズル１を放水状態にするために操作レバー１３を強い力で押下げることが必要になって、作業者の操作にかかる負荷が大きくなる。
【００５０】
この点を解消するため、第１実施形態は、ピストン９の先端を、ピストン９の挿入方向に沿って断面積が小さくなる尖端部９１とした。ピストン９を押す力が一定で断面積が小さくなると、尖端部９１にかかる圧力が大きくなる。このため、尖端部９１を有するピストン９を用いる第１実施形態は、バネ７の弾性力を強めなくとも、先端部が平面のピストンよりも強い圧力で密封リング３との間に流入した水を圧し、ピストン９は、流入した水の水圧に抗って密封リング３内に挿入される。したがって、第１実施形態によれば、操作レバー１３の操作にかかる作業者の操作の負荷を大きくすることなく、水量調整管１１３からの水の漏れを防ぐことができる。
【００５１】
また、第１実施形態は、１つの密封リング３を使って水量調整管１１３からの水の漏れを防ぐことができる。このような第１実施形態は、Ｏリングを複数使って漏水を防ぐ公知のノズルよりも部品点数を少なくし、組立工程を少なくすることができる。
さらに、第１実施形態は、２つの第１切欠領域１３１ａ、第２切欠領域１３１ｂのいずれかにロック機構１６が係り合うことにより、密封リング３とピストン９との間の距離を０と最大距離との間で異なる距離に固定することができる。このような構成によれば、ノズル１の放水量を０から最大水量との間で調整することができる。
【００５２】
なお、上記の第１実施形態は、ノズル１が水を放水する例を挙げて説明を行っている。しかし、第１実施形態は、このような構成に限定されるものでなく、ノズル１は薬液や洗剤液等の液体であれば放出することができる。また、密封リング３は、水に限らず、薬液や洗剤液等の液体の漏れを防ぐことができる。
［第２実施形態］
次に、本考案の第２実施形態のノズルを説明する。第２実施形態のノズルは、第１実施形態で説明したノズル１の水量調整管１１３内部において水を封止する機構を異ならせたものである。このため、第２実施形態では、水の封止に係るピストン及び密封リングに係る構成についてのみ第１実施形態と異なる番号を付して説明し、その他の構成についてはノズル１と同様の機能を有するものについては同様の符号を付し、説明を一部略すものとする。
【００５３】
図８は、第２実施形態のノズル８を説明するための図である。図８（ａ）はノズル８の右側面図、図８（ｂ）はノズル８の背面図、図８（ｃ）はノズル８の正面図である。図９は、ノズル８の分解斜視図である。図８（ａ）に示すように、第１実施形態で説明したノズル１と同様に、ノズル８は、本体１１と、本体１１を通った水が放水される放水部１８に設けられた放水カバー１９と、放水カバー１９とは反対側で本体１１に設けられた操作レバー１３と、を備えている。また、ノズル８は、本体１１に操作レバー１３を回転可能に支持する支持部１５と、操作レバー１３を所定位置にロックするロック機構１６と、を備えている。
【００５４】
第２実施形態の操作レバー１３は、ヘッド部１１１側に設けられた切欠領域１３１のみを有する点で第１実施形態で説明したノズル１と相違する。このような第２実施形態のノズル８は、取手部１３２の移動する最大範囲がノズル１よりも小さくなり、ノズル１よりも小さい力で水を封止、または解放することができる。
図９に示すように、ノズル８には、ヘッド部１１１の内部に水量調整管１１３が設けられている。水量調整管１１３の内部には、密封リング５及びピストン１０が挿入されている。密封リング５はネジ１０９によって放水面１１６に設けられたネジ孔５０９に固定される。また、密封リング５にはＯリング２０５、２０７が設けられている。Ｏリング２０５、２０７は、ノズル８の不使用時に水量調整管１１３内の水が外部に漏れることを防止している。また、ピストン１０の尖端部１０１に設けられたＯリング２０３は、水量調整管１１３から密封リング５内にピストン１０の周辺を通って水が漏れることを防止する。
【００５５】
なお、図９においては、水流パターン切替部６９が放水カバー１９の内部に取付けられて図示されていない。水流パターン切替部６９は、放水カバー１９の内側に固定されている。
ここで、密封リング５の概略構成について図１０及び図１１を用いて説明する。
図１０は、密封リング５の概略構成を示す図である。図１０（ａ）は密封リング５の斜視図であり、図１０（ｂ）は密封リング５の正面図であり、図１０（ｃ）は密封リング５の右側面図である。図１１（ａ）は、図１０（ｂ）に示した線分４１−４１’に沿う断面図である。線分４１−４１’は密封リング５の中心軸を含む線分である。すなわち、図１１（ａ）は、密封リング５の中心軸を含む平面で密封リング５を切断した断面図である。図１１（ｂ）は、図１１（ａ）に示した図１０（ｂ）に示した線分４２−４２’に沿う断面図である。線分４２−４２’は密封リング５の中心軸を含み、線分４１−４１’に直交する線分である。
【００５６】
図１０及び図１１に示すように、密封リング５は、水が流れ込む流入口３４１と、流入口３４１から流れ込む水が流出する流出口３４２と、流入口３４１と流出口３４２とを繋ぐ内面４５と、流入口３４１と流出口３４２とを繋ぐ外面４３とを有している。流入口３４１及び流出口３４２は、円形状を有している。内面４５は、流入口３４１から流入した水が流通する流通部４７を囲む密封リング５の内壁の表面である。
【００５７】
また、外面４３は、水量調整管１１３（図９参照）に密封リング５を挿入したときに水量調整管１１３の内壁に接触する密封リング５の外壁の表面である。
密封リング５は、流出口３４２の側に凸部５１２、凹部５１３、凸部５１４を備えている。凸部５１２、凹部５１３、凸部５１４は、図１０（ｂ）に示すように、密封リング５を正面から見た場合に、凸部５１２、凹部５１３、凸部５１４の順に直径が大きくなる同心円形状を成している。また、密封リング５は、凸部５１４の一部を図１０（ｂ）に示した線分４２−４２’に沿う方向に引き伸ばした形状の固定部５１を有している。固定部５１は、ノズル８に密封リング５の流出口３４２を固定するための部材である。固定部５１は、流出口３４２を挟み、かつ、流出口３４２を通る一直線（図１０（ｂ）では線分４２−４２’）上に配置された第１固定部５１ａ及び第２固定部５２ｂを含んでいる。密封リング５の第１固定部５１ａ、第２固定部５１ｂには、貫通孔５１１が形成されている。貫通孔５１１を図９に示した２つのネジ１０９がそれぞれ貫通し、ネジ１０９はさらに放水面１１６のネジ孔５０９に挿入されて固定される。固定部５１によって密封リング５をノズル８に固定すると、密封リング５の凸部５１２、凹部５１３、凸部５１４及び固定部５１を除く部分が図９に示した水量調整管１１３内に挿入される。
【００５８】
図１０（ｃ）中にＯリング２０５、２０７を破線で示す。図１０（ｃ）、図１１（ａ）、（ｂ）に示したように、凹部５１３には図９に示したＯリング２０７が嵌め込まれている。また、Ｏリング２０５は、密封リング５において凹部５１３の底面５１３ａを挟み、Ｏリング２０７と対向して設けられている。流出口３４２の凸部５１４の固定部が張り出した方向に直交する方向の外径Ｒ３は、流入口３４１の外径Ｒ４よりも大きくなっている。
【００５９】
第２実施形態のノズル８は、上記構成によって密封リング５を水量調整管１１３内に確実に固定することができる。このため、ノズル８を使用していないときにあっては、後述するピストン１０を密封リング５の内面４５に強く当接させても密封リング５の位置がずれることがない。このため、ピストン１０の表面と内面４５との間に隙間ができず、ノズル８から外部に水が漏れることを防ぐことができる。また、ノズル８の使用時にあっては、導入する水の圧力を高めても、水量調整管１１３内で起こる水流の圧力によって密封リング５の位置がずれるが防止される。これにより、水量調整管１１３と密封リング５との隙間から水漏れせず、水量調整管１１３内の水は密封リング５の内面４５、流入口３４１で囲まれた空洞及び流出口３４２を通って放水部１８に放水される。このような構成によれば、水量調整管１１３内の水の大部分が放水部１８に向かうので、充分な放水量を得ることができる。
【００６０】
図１１（ａ）、（ｂ）に示すように、密封リング５は、内面３５に流入口３４１から流出口３４２に向かうに従って内径が狭まるテーパー部３４５、３４６を有している。テーパー部３４５は、流出口３４２と流入口３４１との中間の位置Ｍよりも流出口３４２に近い位置に設けられている。また、テーパー部３４６は、流出口３４２と流入口３４１との中間の位置Ｍよりも流入口３４１に近い位置に設けられている。第２実施形態においては、不使用時には、テーパー部３４６の位置にピストン１０に設けられたＯリング２０３が当接される。
【００６１】
また、内面４５は、テーパー部３４５よりも流出口３４２側に設けられて内径が一定の第１平坦面３４７と、テーパー部３４６よりも流入口３３１側に設けられて内径が一定の第３平坦面３４８と、テーパー部３４５とテーパー部３４６との間にあって内径が一定の第２平坦面３４９と、を有している。第１平坦面３４７及び第２平坦面３４９は斜面３５４と交わり、第２平坦面３４９及び第３平坦面３４８は斜面３５５と交わる。なお、斜面３５５は、二段階の傾斜面となっている。
【００６２】
密封リング５の第１平坦面３４７に当たる部分の内径は第２平坦面３４９に当たる部分の内径よりも小さい。密封リング５の第２平坦面３４９に当たる部分の内径は、第３平坦面３４８に当たる部分の内径よりも小さい。また、内面４５には、流入口３４１から流出口３４２に向かい、第３平坦面３４８、斜面３５５、第２平坦面３４９、斜面３５４、第１平坦面３４７がこの順番で設けられている。斜面３５４、３５５により、内面４５の内径が小さくなる。即ち、内面４５は、流入口３４１から流出口３４２に向かって第３平坦面３４８、第２平坦面３４９、第１平坦面３４７の順に絞り込まれた形状を有している。
【００６３】
第２実施形態においても、ピストン１０が密封リング５に挿入された状態において、尖端部１０１の外面は、密封リング５のテーパー部３４５に沿う形状を有している。即ち、尖端部１０１は、Ｏリング２０３と斜面３５５とが当接して水量調整管１１３内に挿入される。このとき、テーパー部３４５の斜面３５４と円錐台形部１０１ａとが完全に接触せず、斜面３５４と円錐台形部１０１ａ表面との間にはわずかな隙間を設けてピストン１０が配置される。この尖端部１０１は、テーパー部３４５から第１平坦面３４７へ飛び出さずに配置されている。しかし、尖端部１０１は、ピストン１０に巻き回されたバネ７によって外面及び尖端部１０１に設けられたＯリング２０３をテーパー部３４５に当接させて流出口３３２からの液体の流出を停めている。
【００６４】
また、第２実施形態においても、第１平坦面３４７と斜面３５４との成す角の角度θ１と、第２平坦面３４９と斜面３５４との成す角の角度θ２との和は３６０度となっている。第２実施形態では、角度θ４を１３５度とした。同様に、第２平坦面３４９と斜面３５５とがなす角θ５を２２５（＝３６０−１３５）度とした。図１１（ａ）中にθ３、θ４、θ５を示す。
【００６５】
ただし、密封リング５は、第１平坦面３４７と斜面３５４とがなす角と第２平坦面３４９と斜面３５５とがなす角の角度が等しい構成に限定されるものでなく、また、第１平坦面３４７と斜面３５４とがなす角及び第２平坦面３４９と斜面３５５とがなす角の角度が共に１３５度である構成に限定されるものではない。第１平坦面３４７と斜面３５４とがなす角及び第２平坦面３４９と斜面３５５とがなす角の角度は、水量調整管１１３の長さと流出口３４２の径とによって各々適正な値に決定される。
【００６６】
次に、ピストン１０の構成について図９を参照しつつ図１２を用いて説明する。図１２は、ピストン１０の概略構成を示す図である。図１２（ａ）はピストン１０の斜視図であり、図１２（ｂ）はピストン１０の正面図である。図９及び図１２（ａ）に示したように、ピストン１０は、円柱形状に形成された本体１０４と、本体１０４の一端に形成されて水が密封リング５を流れる流れ方向に沿って密封リング５の流通部４７に出し入れ自在に挿入される挿入部１００とを有している。
【００６７】
ピストン１０は、密封リング５を流れる水の流量を調整するために用いられる。なお、図９、図１２（ａ）及び図１２（ｂ）に示した矢線Ｄは、密封リング５への挿入部１００の挿入方向を示している。
挿入部１００は、密封リング５に対して当接する尖端部１０１を有している。尖端部１０１は、密封リング５に対する挿入方向に沿って一定の断面積を保った後、断面積が徐々に小さくなる形状の円錐台形部１０１ａと、断面積が一定の円柱部１０１ｂと、を有している。即ち、尖端部１０１は、全体的に円柱形状であって、尖端が円錐台形状の形状を有している。第２実施形態では、尖端部１０１の矢線Ｄが示す方向の側をピストン１０の「正面」または「前」と記し、反対の側を「背面」または「後」と記す。挿入部１００は、尖端部１０１の後ろに外径が一定の定径部１０２を備えている。
【００６８】
さらに、挿入部１００は、尖端部１０１と定径部１０２との間に、くびれ部１０６を有している。くびれ部１０６にはＯリング２０３（図１２においては不図示）が配置される。くびれ部１０６に配置されたＯリング２０３は、尖端部１０１と定径部１０２との間に挟まれて、ピストン１０が水量調整管１１３内で矢線Ｄの方向または矢線Ｄと反対の方向に動いてもくびれ部１０６から外れないようになっている。
【００６９】
ピストン１０は、定径部１０２の後に複数（本例では４つ）の凸部１０３を有している。複数の凸部１０３は、本体１０４の外表面上に本体１０４の中心軸周りに等間隔に設けられている。凸部１０３は、薄板形状を有し、本体１０４の外表面から放射状に突出して形成されている。凸部１０３は、本体１０４の一端側から他端側に向かって伸びて形成され、全体的に定径部１０２よりも高く形成されている。凸部１０３は、定径部１０２から後方に向けて第１領域１０３ａ、第２領域１０３ｂ及び第３領域１０３ｃを有している。第１領域１０３ａは、定径部１０２よりも高い一定の高さを有し、第２領域１０３ｂは第１領域１０３ａより高く、第３領域１０３ｃは、第１領域１０３ａよりも高さが低くなっている。
【００７０】
本体１０４の挿入部１００を含む一部の内部は空洞になっていて、図１２（ｂ）に示すように、挿入部１００の尖端には孔１０４ａが開口されている。孔１０４ａは、開口部１４４ａと、開口部１４４ａに続く挿入部１００に設けられた空洞１４４ｂを含む。
孔１０４ａを開口したことにより、尖端部１０１の表面積が大きくなる。このため、水量調整管１１３内で生じた水流の尖端部１０１にかかる圧力が小さくなる。これにより、ピストン１０と密封リング５との間で生じる水の漏れが防止されると共に、ピストン１０を小さな力で密封リング５内に押し込むことができるようになる。
【００７１】
ここで、第２実施形態においても、図８（ｃ）に示した軸１１５の中心を含む線分６０−６０’に沿うノズル８の断面により、ノズル８の止水状態と放水状態とを示す。図１３は、ピストン１０がノズル８から放出される水を止水した止水状態を示している。図１４は、ピストン１０による止水が解除されてノズル８から水が放出される放水状態を示している。
【００７２】
以下、ノズル８に組み込まれた密封リング５及びピストン１０について、第１実施形態との相違を説明する。
密封リング５は、水量調整管１１３内において第１固定部５１ａ、第２固定部５１ｂによって固定されている。第１固定部５１ａ、第２固定部５１ｂを設けたため、密封リング５の流出口３４２と水流パターン切替部６９との密着性が第１実施形態よりも低下するおそれがある。この点を解消するため、第２実施形態は、密封リング５にＯリング２０５、２０７を設けている。
【００７３】
また、第２実施形態では、ピストン１０と内面４５との密着性を高めるため、ピストン１０にもＯリング２０３を設けている。
このようなノズル８においては、止水状態において作業者は操作レバー１３に力を加えていない。このとき、ピストン１０はバネ７によって密封リング５側に押し出され、尖端部１０１、定径部１０２及びＯリング２０３が密封リング５の内面に圧力を加えながら密着している。このとき、Ｏリング２０３は変形して内面４５との密着性を高める。また、第２実施形態においても、密封リング５の内面４５は、ピストン１０の尖端部１０１及び定径部１０２に外面に沿った形状を有している。すなわち、第１平坦面３４７と斜面３５４との成す角度θ４（図１１（ａ）参照）は、円錐台形部１０１ａの表面と斜面３５４とがわずかな間隔を設けて対向して配置され、円柱部１０１ｂの表面と第２平坦面３４９とが当接するように定められる。即ち、円錐台形部１０１ａと円錐台形部１０１ａ以外の尖端部１０１との成す角と、角θ４との合計の角度は、３６０度になっている。これにより、ノズル８は、水量調整管１１３内に管部５５から流入する水や水量調整管１１３内に滞留している水が流出口３４２から漏れるのを防止できる。
【００７４】
また、Ｏリング２０５、２０７は、密封リング５が水流パターン切替部６９に押し付けられた際に変形し、密封リング５の流出口３４２と水流パターン切替部６９とが密着する。このような構成により、ノズル８は、水量調整管１１３から水が外部に漏れることを防いでいる。
図１４に示す放水状態において、ノズル８は、密封リング５とピストン１０との間に生じる空間に応じた量の水を水量調整管１１３から放出する。ノズル８を放水状態にする場合、作業者は操作レバー１３に手をかけて、操作レバー１３が軸１５１を中心にして回転するように押下げる。ノズル８をいったん放水状態にすると、水量調整管１１３内の水が密封リング５やピストン１０に高い圧力を加える。この圧力により、水は、密封リング５と水量調整管１１３との間に入り込もうとする。第２実施形態のＯリング２０５、２０７は、変形して水量調整管１１３の内壁に強く押し付けられている。また、第２実施形態では、密封リング５が水量調整管１１３に固定されていて、水流によって動くことがない。このような構成により、第２実施形態は、水流により水量調整管１１３と密封リング５との間に水が入り込むことを防ぎ、水が既定の流路以外を通ってノズル８の外部に流れ出ることを防ぐ。
【００７５】
以上説明した第２実施形態は密封リング５をネジ１０９を使って水量調整管１１３内に固定した。このことにより、第２実施形態は、水量調整管１１３に流入する水の水圧が高まっても密封リング５の位置がずれることがない。このため、第２実施形態は、第１実施形態よりも高い水圧に対抗してノズル８内の漏水を止めることができる。
なお、本考案は、以上に記載した実施形態１、実施形態２に限定されるものではない。当業者の知識に基づいて各実施形態に設計の変更等を加えてもよく、そのような変更が加えられた態様も本考案の範囲に含まれる。
【符号の説明】
【００７６】
１，８  ノズル、３，５  密封リング、７，５７  バネ、９，１０  ピストン
１１，９５，１０４  本体、１３  操作レバー、１５  支持部、１６  ロック機構
１７  フック、１８  放水部、１９  放水カバー、２１  接続部
２２  カバー板、２３  シャワー放水口、２５  霧放水口、２７  ジェット放水口
２９  拡散放水口、３０  筒状体、３１  ネジ、３３，４３  外面、３５，４５  内面
３７，４７  流通部、５１  固定部、５５  管部、５６  凍結防止部材
５９  クリック部材、６９  水流パターン切替部、７０  板部
７３  シャワー用口、７５  霧用口、７７  ジェット用口、７９  拡散用口
９０，１００  挿入部、９１，１０１  尖端部、９２，１０２  定径部
９３，１０３，１１９，５１２，５１４  凸部
９７  孔部、９８  ピン、１０１ａ  円錐台形部、１０１ｂ  円柱部
１０３ａ  第１領域、１０３ｂ  第２領域、１０３ｃ  第３領域
１０６  くびれ部、１０９  ネジ、１１１  ヘッド部、１１２  水導入部
１１３  水量調整管、１１３ａ  段差部、１１４  管部
１１６  放水面、１１７  縁部、１１８，５１３  凹部
１１９ａ  溝部、１２２，２０３，２０５，２０７  Ｏリング
１３１  切欠領域、１３１ａ  第１切欠領域、１３１ｂ  第２切欠領域
１３２  取手部、１３３  凸片、１５２  支持部、１９０  側壁
１９１  放水パターン表示部、１９２  環状溝部
２３１，２５１，２７１，２９１  孔部、３３１，３４１  流入口
３３２，３４２  流出口、３３３，固定用凸部  ３３４，３５４，３５５  斜面
３３５  テーパー部、３３６，３４８  第３平坦面
３３７，３４７  第１平坦面、３３８  曲面部、３３９，３４９  第２平坦面
３４５，３４６  テーパー部、５０９  ネジ孔、５１１  貫通孔
【図１】
0003197665.tif 000003
【図２】
0003197665.tif 000004
【図３】
0003197665.tif 000005
【図４】
0003197665.tif 000006
【図５】
0003197665.tif 000007
【図６】
0003197665.tif 000008
【図７】
0003197665.tif 000009
【図８】
0003197665.tif 000010
【図９】
0003197665.tif 000011
【図１０】
0003197665.tif 000012
【図１１】
0003197665.tif 000013
【図１２】
0003197665.tif 000014
【図１３】
0003197665.tif 000015
【図１４】
0003197665.tif 000016